【事件の表示】
　特願２０１５−１５８１９０「ガスセルおよび磁気測定装置」拒絶査定不服審判事件〔平成２７年１２月１０日出願公開、特開２０１５−２２２２７２〕について、次のとおり審決する。
【結　論】
　本件審判の請求は、成り立たない。
【理　由】
第１　手続の経緯
　本願は、平成２３年９月８日（優先権主張　平成２３年２月１６日（以下、「優先日」という。））の出願である特願２０１１−１９５９７４号の一部を、平成２７年８月１０日に新たな特許出願としたものであって、平成２８年７月２８日付けの拒絶理由通知に対して平成２８年１０月３日付けで手続補正がなされたが、平成２９年３月７日付けで拒絶査定がなされ、これに対し、平成２９年６月１４日に拒絶査定不服審判が請求されたものである。
第２　本願発明
　本願の請求項１ないし３に係る発明は、平成２８年１０月３日付け手続補正書により補正された特許請求の範囲の請求項１ないし３に記載された事項により特定されるとおりのものであるところ、その請求項１に係る発明（以下、「本願発明」という。）は、次のとおりのものである。
「【請求項１】
　閉空間を形成する外壁と、
　前記閉空間を複数のセルに仕切る内壁と、
　前記内壁に形成され、隣接するセルのうち少なくとも１つのセル同士を結ぶ貫通孔と、
　前記セル内に封入されたアルカリ金属原子と、
　前記複数のセルのうち１つのセルに収容されたアンプルの破片と
　を有するガスセル。」
第３　引用例及びその記載事項
（１）原査定の拒絶の理由で引用され、本願の優先日前に頒布された刊行物である特開２００９−１４０９８４号公報（平成２１年６月２５日公開、以下、「引用例１」という。）には、図面とともに、次の事項が記載されている（下線は、当審で付与したものである。以下、同様。）。
ａ　「【００１７】
  図２はガスセルの断面図である。
ガスセル２０は、
仕切り部２２を有しており、ガスセル２０の内部を複数の部屋２４に分割している。
【００１８】
  すなわち
各部屋２４には、ガス状の金属原子
を気密封入している
【００１９】
  そして速度の速い原子はすぐに仕切り部２２に衝突してしまい、光と係わる時間が短くなるため、光吸収を起こさずに基底状態（速度が遅い状態）へと移行する確率が高くなる。一方、速度が遅くなった原子は仕切り部２２に衝突するまでの時間が長くなり、光と係わる時間が充分長くなるため、光を吸収する確率が高くなる。つまり、光軸に対して垂直に仕切り部２２を設けることにより、光路上に速度の速い原子がとどまっている確率を低くしているのである。
  なお図２に示す場合では、仕切り部２２が７個あるので、部屋２４が８個ある。また
金属原子は、
アルカリ金属であればよい。
ｂ　「【００２９】
  なおガスセル２０は、図２に示す形態ばかりでなく、以下に説明する形態であってもよい。図５はガスセルの第１変形例を説明する断面図である。第１変形例のガスセル３０は、
仕切り部２２に開口部３２を設けており、各部屋２４を開口部３２によってつなげている。
ｃ　図５より、ガスセル３０は、ガスセル３０の内部を形成する外壁を有することが見て取れる。
　ここで、段落【００２９】に、「ガスセル３０」は、「ガスセル２０」の変形例であることが記載されているので、「ガスセル３０」は、開口部３２以外は「ガスセル２０」の構成を踏襲している。
　したがって、上記引用例１に記載された事項及び図面の記載を総合すると、引用例１には、次の発明（以下、「引用発明１」という。）が記載されている（括弧内は、認定に用いた引用例１の記載箇所である。）。
「ガスセル３０の内部を形成する外壁と（図５）、
　ガスセル３０の内部を複数の部屋２４に分割する仕切り部２２とを有しており（【００１７】）、
　仕切り部２２に開口部３２を設けており、各部屋２４を開口部３２によってつなげており（【００２９】）、
　各部屋２４には、ガス状のアルカリ金属原子を気密封入している（【００１８】、【００１９】）、ガスセル３０。」
（２）原査定の拒絶の理由で引用され、本願の優先日前に頒布された刊行物である米国特許出願公開第２００５／０１８４８１５号明細書（２００５年８月２５日公開、以下、「引用例２」という。）には、図面とともに、次の事項が記載されている。
ａ　「［0022］　Referring now to  FIG. 1 , there is shown a cavity structure, or 
cell,  100
Structure  100
includes layers  110 ,  120  and  130  forming closed cavity  140 . 
Cavity  140  may contain an alkali metal atomic vapor, 
and a buffer gas,
　（当審訳：[0022]　図1を参照すると、本発明の一態様による空洞構造、あるいは
セル100
構造100は、
閉じた空洞140を形成する層110、120および130を含む。
空洞140は、
アルカリ金属原子蒸気と、
緩衝ガスとを含むことができる。
ｂ　「［0046］ According to an aspect of the present invention, 
multiple cavities may be coupled together. 
here are shown cavities  140 ' and  140 
 
　（当審訳：[0046]　本発明の一態様によれば、
複数の空洞を互いに結合することができる。
空洞140'と140''が示されている。
ｃ　図８Ａ、図８Ｂより、空洞140'と空洞140''に仕切る内壁と、内壁に形成された空洞140'と空洞140''を結ぶ貫通孔が見て取れる。
　ここで、段落［0046］の記載より、図８Ａ、図８Ｂに記載されたものは、空洞140を、空洞140'と空洞140''に置き換えたものであるといえるので、
　上記引用例２に記載された事項及び図面の記載を総合すると、引用例２には、次の発明（以下、「引用発明２」という。）が記載されている（括弧内は、認定に用いた引用例２の記載箇所である。）。
「セル100は、閉じた空洞140'と空洞140''を形成する層110、120および130を含み、
  空洞140'と空洞140''は、アルカリ金属原子蒸気と、緩衝ガスとを含むものであって（［0022］［0046］）、
　空洞140'と空洞140''が互いに結合され（［0046］）、
　空洞140'と空洞140''に仕切る内壁と、
　内壁に形成された空洞140'と空洞140''を結ぶ貫通孔（図８Ａ、図８Ｂ）を有するセル100。」
（３）原査定の備考欄で周知技術を示す文献として引用され、本願の優先日前に頒布された刊行物である米国特許第３８６０３１１号明細書（１９７５年１月１４日公開、以下、「引用例３」という。）には、図面とともに、次の事項が記載されている。
ａ　「A glass sphere 10 encloses what eventually will become the resonance chamber 12 of the completed cell. 
Two elongated tubes 14 and 16 communicate with the cell
管14および16は、
セルと繋がっている。
ｂ　「
The other tube 16 has a
an enlarged portion
32
う一方の管16は
32のある拡大領域を有する。
ｃ　「
The second branch 32 also contains a glass-enclosed magnet 44
Above the glass-enclosed magnet 44 is an ampoule 46 having a frangible tip 48 which encloses an alkali metal 50.
第二の分枝32も、
ガラスに内包された磁石44を含んでいる。ガラスに内包された磁石44の上部に、アルカリ金属50を内包する脆い先端48を有するアンプル46がある。
ｄ　「
By means of the enclosed magnet 42 the ampoule 46 is moved into the seal-off region 28 j
.Next the seal-off region 28 is heated at 58 with a hand torch to seal the region
Simply shaking the cell breaks the frangible tips 24 and 48.Breaking frangible tip 48 allows the alkali metal 50 in the ampoule 46 to evaporate into the cell.
内包された磁石42を用いて、
領域28にアンプル46を移動させる。次に、手持ち用バーナーを用いて密封された領域28を58の箇所で加熱してこの部分を密封し
セルを振りさえすれば、脆い先端24および48は壊れる。脆い先端48を壊すことで、アンプル46内のアルカリ金属50がセル中で蒸発する。
　上記記載より、引用例３には、次の技術が記載されている。
「セル内で、アルカリ金属５０を内包するアンプル４６の脆い先端４８を壊すことで、アンプル４６内のアルカリ金属５０を、セル中に蒸発させる技術。」
（４）原査定の備考欄で周知技術を示す文献として引用され、本願の優先日前に頒布された刊行物である米国特許第３２８１７０９号明細書（１９６６年１０月２５日公開、以下、「引用例４」という。）には、図面とともに、次の事項が記載されている。
　「Reterring to FIG.1 there is shown as an example of a a novel multi-region configuration utilizing the above-described non-relaxing wall coating a dumbbell shaped absorption 
cell 11 having spherical bulbs 12 and 13
 Located in finger exten-sion 15 off the smaller spherical bulb 12 is a glass ampoule 16 containing a small quantity 17 of an alkali metal
球状バルブ12と13を持つダンベル状吸収セル11
小さい方の球状バルブ12からの指状延長部15には、
アルカリ金属の少量17を内包するガラスアンプル16と
が位置している。
ルビジウムを含んだアンプル16は続いて、銅ハンマー18をアンプル16に対して振ったりすることで、続いて破壊され、それにより、セル11内部をルビジウムや他のアルカリ蒸気でほぼ室温で充填する。
　上記記載より、引用例４には、次の技術が記載されている。
「セル１１内で、アルカリ金属を含んだアンプル１６を破壊し、セル１１内部をアルカリ蒸気で充填する技術。」
第４　対比・判断
１　引用発明１を主たる発明とした場合
（１）対比
　本願発明と引用発明１とを対比する。
ア　引用発明１の「ガスセル３０の内部を形成する外壁」は、本願発明の「閉空間を形成する外壁」に相当する。
イ　引用発明１の「ガスセル３０の内部を複数の部屋２４に分割する仕切り部２２」は、本願発明の「前記閉空間を複数のセルに仕切る内壁」に相当する。
ウ　引用発明１の「仕切り部２２」に設けられ、「各部屋２４」をつなげている「開口部３２」は、本願発明の「前記内壁に形成され、隣接するセルのうち少なくとも１つのセル同士を結ぶ貫通孔」に相当する。
エ　引用発明１の「各部屋２４」に、「気密封入」された「アルカリ金属原子」は、本願発明の「前記セル内に封入されたアルカリ金属原子」に相当する。
　すると、本願発明と引用発明１とは、次の（一致点）及び（相違点）を有する。
（一致点）
「閉空間を形成する外壁と、
　前記閉空間を複数のセルに仕切る内壁と、
　前記内壁に形成され、隣接するセルのうち少なくとも１つのセル同士を結ぶ貫通孔と、
　前記セル内に封入されたアルカリ金属原子と、
　を有するガスセル。」
（相違点）
　本願発明の「ガスセル」は、「前記複数のセルのうち１つのセルに収容されたアンプルの破片」を有するのに対して、引用発明１の「ガスセル３０」には、そのような特定がない点。
（２）判断
　相違点について検討する。
　セル内で、アルカリ金属を含んだアンプルを破壊し、セル内部をアルカリ金属の蒸気で充填する技術は、引用例３又は４に記載されているように周知技術である（上記「第３（３）」「第３（４）」）。
　引用発明１は、「ガスセル３０」の内部の「複数の部屋２４に」「ガス状のアルカリ金属原子を気密封入」するものであるから、その製造に際して、上記周知技術を適用することは、当業者が容易に想到しうることである。
　そして、上記周知技術の方法で製造した場合、ガスセル３０の部屋２４内にアンプル破片が残留することは自明であるから、上記相違点に係る本願発明の構成とすることは、当業者が容易になし得たことである。
　さらに、本願発明が奏する効果は、引用発明１及び周知技術から当業者が十分に予測できたものであって格別なものとはいえない。
　したがって、本願発明は、引用発明１及び周知技術に基づいて、当業者が容易に発明をすることができたものである。
２　引用発明２を主たる発明とした場合
（１）対比
　本願発明と引用発明２とを対比する。
ア　引用発明２の「閉じた空洞140'と空洞140''」は、本願発明の「閉空間」に相当するので、引用発明２の「閉じた空洞140'と空洞140''を形成する層110、120および130」は、本願発明の「閉空間を形成する外壁」に相当する。
イ　引用発明２の「空洞140'と空洞140''」は、本願発明の「複数のセル」に相当する。
　したがって、引用発明２の「空洞140'と空洞140''に仕切る内壁」は、本願発明の「前記閉空間を複数のセルに仕切る内壁」に相当する。
ウ　引用発明２の「内壁に形成された空洞140'と空洞140''を結ぶ貫通孔」は、本願発明の「前記内壁に形成され、隣接するセルのうち少なくとも１つのセル同士を結ぶ貫通孔」に相当する。
エ　引用発明２の「閉じた空洞140'と空洞140''」に含まれる「アルカリ金属原子蒸気」は、本願発明の「前記セル内に封入されたアルカリ金属原子」に相当する。
オ　引用発明２の「セル100」は、「空洞140'と空洞140''」に「アルカリ金属原子蒸気と、緩衝ガスとを含む」ので、本願発明の「ガスセル」に相当する。
　すると、本願発明と引用発明２とは、次の（一致点）及び（相違点）を有する。
（一致点）
「閉空間を形成する外壁と、
　前記閉空間を複数のセルに仕切る内壁と、
　前記内壁に形成され、隣接するセルのうち少なくとも１つのセル同士を結ぶ貫通孔と、
　前記セル内に封入されたアルカリ金属原子と、
　を有するガスセル。」
（相違点）
　本願発明の「ガスセル」は、「前記複数のセルのうち１つのセルに収容されたアンプルの破片」を有するのに対して、引用発明２の「セル100」には、そのような特定がない点。
（２）判断
　相違点について検討する。
　セル内で、アルカリ金属を含んだアンプルを破壊し、セル内部をアルカリ金属の蒸気で充填する技術は、引用例３又は４に記載されているように周知技術である（上記「第３（３）」「第３（４）」）。
　引用発明２は、「セル100」の「空洞140'と空洞140''は、アルカリ金属原子蒸気と、緩衝ガスとを含むもの」であるから、その製造に際して、上記周知技術を適用することは、当業者が容易に想到しうることである。
　そして、上記周知技術の方法で製造した場合、空洞140'又は空洞140''内にアンプル破片が残留することは自明であるから、上記相違点に係る本願発明の構成とすることは、当業者が容易になし得たことである。
　さらに、本願発明が奏する効果は、引用発明２及び周知技術から当業者が十分に予測できたものであって格別なものとはいえない。
　したがって、本願発明は、引用発明２及び周知技術に基づいて、当業者が容易に発明をすることができたものである。
第５　むすび
　以上のとおり、 本願発明は、特許法第２９条第２項の規定により特許を受けることができないものであるから、その余の請求項に論及するまでもなく、本願は拒絶するべきものである。
　よって、結論のとおり審決する。